(57)【特許請求の範囲】
【請求項１】
蛇口を備えた外タンクと、この外タンクに内設したフィルター、濾布でなる濾過筒体と、この濾過筒体に内設した不透水素材でなり、かつカットできるか、又は折畳みができる上方開放の内タンクと、この内タンクに垂設した撹拌翼と、この撹拌翼を回転するハンドルとで構成した簡易形濾過機であって、
前記内タンクのカット、又は折畳みにより、この内タンクの原水がオーバーフロー可能とするとともに、該内タンクよりオーバーフローした原水を、前記濾過筒体に送り、この濾過筒体で濾過した濾過水を、前記外タンクに収容可能とする構成とした簡易形濾過機。
【請求項２】
請求項１に記載の簡易形濾過機であって、
前記外タンクは、組立て式の枠体と、この枠体の外周面に設けた不透水性の折畳み式の筒体とで構成した簡易形濾過機。
【請求項３】
請求項２に記載の簡易形濾過機であって、
前記外タンクの組立て式の枠体は、環状の上下枠環と、この上下枠環を支持する複数本の縦杆と、で構成し、前記上下枠環と、前記縦杆を折畳み可能とする構成とした簡易形濾過機。
【請求項４】
請求項１に記載の簡易形濾過機であって、
前記内タンクは、組立て式の枠体と、この枠体の外周面に設けた不透水性の折畳み式、又は切断できるビニール製の筒体とで構成した簡易形濾過機。
【請求項５】
請求項４に記載の簡易形濾過機であって、
前記内タンクの組立て式の枠体は、環状の上中下枠環と、この上中下枠環を支持する複数本の縦杆と、で構成し、前記上中下枠環と、前記縦杆を折畳み可能とする構成とした簡易形濾過機。
【請求項６】
請求項１、又は請求項４に記載の簡易形濾過機であって、
前記内タンクの組立て式の枠体は、環状の上中下枠環と、この上中下枠環を支持する複数本の縦杆と、この上枠環に、取付け取外し自在に架承される差渡し材と、この差渡し材に垂下した折畳み自在の前記撹拌翼を有する撹拌棒と、で構成し、前記上中下枠環と、前記縦杆を折畳み可能とする構成とした簡易形濾過機。
【発明の詳細な説明】
【技術分野】
【０００１】
本発明は、簡易形濾過機に関し、望ましくは、その内外タンクが、組立て式の枠体と、折畳み式の筒体で構成された、運搬でき、かつ現場で容易に組立てて使用できる簡易形濾過機に関する。
【背景技術】
【０００２】
従来の濾過機は、特開平１１−２０７３２１号公報に記載されているように、原水充填部となる上筒体と、この上筒体の下端に設けた濾過体と、この濾過体の下方に設けた浄水を充填する下筒体とで構成し、上下筒体に移行する、水の重力と、移行中に設けた濾過体を介して、清澄水を確保する構造が知られている。この発明の浄水器は、緊急時とか、野外レジャー等の簡易な使用を意図するが、従来と同様に、既存の機材と、重力とを利用する。従って、現場への運搬し、この現場における容易な組立てを利用し、かつ簡易に使用することに関しては、改良の余地がある。
【０００３】
そこで、前述した従来の濾過機の問題を解決し、かつ現場への簡便な運搬と、また、この現場における容易な組立てとを意図する、従来文献を検討する。
【０００４】
この従来文献として、特開２００８−９３６２６号公報の発明がある。この発明は、軽量とした骨組構造の枠体（骨組枠体）に、濾過布を吊下した構造である。この骨組枠体を軽量化したことと、この枠体に、濾過布を取付け、取外し自在としたことで、運搬と設置の容易化を図る。しかし、この発明は、原水の供給量（濾過スピードに対応しての、原水の落込み量）を、濾過状態を勘案して、物理的に、かつ人で、調整することはできない。従って、緊急時とか、災害時等において、簡易かつ確実に動作と濾過することに関しては、改良の余地がある。
【０００５】
【特許文献１】特開平１１−２０７３２１号公報
【特許文献２】特開２００８−９３６２６号公報
【発明の概要】
【発明が解決しようとする課題】
【０００６】
前述した先行文献では、前述したことと併せて、次のような問題を抱えている。災害等の緊急時とか、辺地において、生活水（清澄水に至らない水、例えば、洗濯水、廃土排除水、入浴水、洗車水、手洗い水、或いは、溜池の汚水、排水、工場排水等の水）の補給が間々ならない状態で、動力を要さずに、物理的な状態での濾過を図り、緊急時に対応するには、十分でない。
【０００７】
この問題を解決するのが、本発明であり、例えば、濾過作業を、動力を要さずに、物理的な状態での濾過を図り、緊急時に対応すること、殊に、必要とする生活水を、確実かつ簡易に確保すること、等を目的とする。また、運搬かつ組立て可能として、何処でも生活水を確保し、復興と、最低限の生活を確保すること、将来の希望と、楽しみ等を確保すること、等を意図する。
【課題を解決するための手段】
【０００８】
前述した、本発明の目的と、希望等を達成するために、次のような手段（構造）を提供する。
【０００９】
請求項１の発明では、蛇口を備えた外タンクと、この外タンクに内設したフィルター、濾布でなる濾過筒体と、この濾過筒体に内設した不透水素材でなり、かつカットできるか、又は折畳みができる上方開放の内タンクと、この内タンクに垂設した撹拌翼と、この撹拌翼を回転するハンドルとで構成した簡易形濾過機であって、
前記内タンクのカット、又は折畳みにより、この内タンクの原水がオーバーフロー可能とするとともに、該内タンクよりオーバーフローした原水を、前記濾過筒体に送り、この濾過筒体で濾過した濾過水を、前記外タンクに収容可能とする構成とした簡易形濾過機の提供である。
【００１０】
そして、以下、請求項１の目的を達成するための、個別の構造を提供する。
【００１１】
即ち、請求項２では、請求項１に記載の簡易形濾過機であって、
前記外タンクは、組立て式の枠体と、この枠体の外周面に設けた不透水性の折畳み式の筒体とで構成した簡易形濾過機の提供である。
【００１２】
また、請求項３では、請求項２に記載の簡易形濾過機であって、
前記外タンクの組立て式の枠体は、環状の上下枠環と、この上下枠環を支持する複数本の縦杆と、で構成し、前記上下枠環と、前記縦杆を折畳み可能とする構成とした簡易形濾過機の提供である。
【００１３】
請求項４では、請求項１に記載の簡易形濾過機であって、
前記内タンクは、組立て式の枠体と、この枠体の外周面に設けた不透水性の折畳み式、又は切断できるビニール製の筒体とで構成した簡易形濾過機の提供である。
【００１４】
そして、請求項５では、請求項４に記載の簡易形濾過機であって、
前記内タンクの組立て式の枠体は、環状の上中下枠環と、この上中下枠環を支持する複数本の縦杆と、で構成し、前記上中下枠環と、前記縦杆を折畳み可能とする構成とした簡易形濾過機の提供である。
【００１５】
また、請求項６では、請求項１、又は請求項４に記載の簡易形濾過機であって、
前記内タンクの組立て式の枠体は、環状の上中下枠環と、この上中下枠環を支持する複数本の縦杆と、この上枠環に、取付け取外し自在に架承される差渡し材と、この差渡し材に垂下した折畳み自在の前記撹拌翼を有する撹拌棒と、で構成し、前記上中下枠環と、前記縦杆を折畳み可能とする構成とした簡易形濾過機の提供である。
【発明の効果】
【００１６】
請求項１の発明は、蛇口を備えた外タンクと、外タンクに内設したフィルター、濾布でなる濾過筒体と、濾過筒体に内設した不透水素材でなり、かつカットできるか、又は折畳みができる上方開放の内タンクと、内タンクに垂設した撹拌翼と、撹拌翼を回転するハンドルとで構成した簡易形濾過機であって、
内タンクのカット、又は折畳みにより、内タンクの原水がオーバーフロー可能とするとともに、内タンクよりオーバーフローした原水を、濾過筒体に送り、濾過筒体で濾過した濾過水を、外タンクに収容可能とする構成とした簡易形濾過機の提供である。
【００１７】
従って、この請求項１では、前述した如く、（イ）  濾過作業を、動力を要さずに、物理的な状態での濾過を図り、緊急時に対応できること、殊に、必要とする生活水を、確実かつ簡易に確保できること、等が図れる特徴があり、例えば、水害時、津波等の災害の際に、建屋内の堆積汚泥の排除、家具等の水洗処理等の各種の作業ができ、災害の復興と、将来への希望と、生活の活性化等に有効である。また、ロ）  運搬かつ組立て可能として、何処でも生活水を確保し、前述の復興と、最低限の生活を確保できること、将来の希望と、楽しみ等を確保できること、等の特徴があり、例えば、洗濯、風呂の利用等の生活に直結する営みが図れる実益がある。ハ）  前記運搬かつ組立て可能として、貧困地帯、ライフラインが十分でない地帯等の世界の状況での援助にも役立ち、一面的な考えでは、人類の健康と、平和にも役立つ実効性が確保できる。
【００１８】
請求項２の発明は、請求項１に記載の簡易形濾過機であって、
外タンクは、組立て式の枠体と、枠体の外周面に設けた不透水性の折畳み式の筒体とで構成した簡易形濾過機の提供である。
【００１９】
従って、この請求項２では、請求項１の目的を達成するに最適で、実効性のある外タンクの構造を提供できる特徴がある。
【００２０】
また、請求項３では、請求項２に記載の簡易形濾過機であって、
外タンクの組立て式の枠体は、環状の上下枠環と、上下枠環を支持する複数本の縦杆と、で構成し、上下枠環と、縦杆を折畳み可能とする構成とした簡易形濾過機の提供である。
【００２１】
従って、この請求項３では、請求項１の目的を達成するに最適で、実効性のある外タンクの構造と、その組立て可能な構造を提供できる特徴がある。
【００２２】
請求項４の発明は、請求項１に記載の簡易形濾過機であって、
内タンクは、組立て式の枠体と、枠体の外周面に設けた不透水性の折畳み式、又は切断できるビニール製の筒体とで構成した簡易形濾過機の提供である。
【００２３】
従って、この請求項４では、請求項１の目的を達成するに最適で、実効性のある内タンクの構造を提供できる特徴がある。
【００２４】
そして、請求項５の発明は、請求項４に記載の簡易形濾過機であって、
内タンクの組立て式の枠体は、環状の上中下枠環と、上中下枠環を支持する複数本の縦杆と、で構成し、上中下枠環と、縦杆を折畳み可能とする構成とした簡易形濾過機の提供である。
【００２５】
また、請求項６の発明は、請求項１、又は請求項４に記載の簡易形濾過機であって、
内タンクの組立て式の枠体は、環状の上中下枠環と、上中下枠環を支持する複数本の縦杆と、上枠環に、取付け取外し自在に架承される差渡し材と、差渡し材に垂下した折畳み自在の撹拌翼を有する撹拌棒と、で構成し、上中下枠環と、縦杆を折畳み可能とする構成とした簡易形濾過機の提供である。
【００２６】
従って、この請求項５、６では、請求項１の目的を達成するに最適で、実効性のある内タンクの構造と、その組立て可能な構造を提供できる特徴がある。
【図面の簡単な説明】
【００２７】
【図１】全体の一部欠截の側面図
【図２】全体の平面図
【図３】全体の一部欠截の正面図
【図４】外筒の側面図
【図５】外筒の平面図
【図６】内筒の側面図
【図７】内筒の平面図
【図８】内袋の斜視図
【図９】外袋の斜視図
【図１０−１】外タンクの組立て式枠体の上枠環の平面図
【図１０−２】上枠環の折畳み状態を示した平面図
【図１０−３】縦杆の一部欠截の斜視図
【図１１−１】内タンクの組立て式枠体の上枠環の平面図
【図１１−２】（イ）は上枠環の折畳み状態を示した平面図、（ロ）は撹拌棒と撹拌翼を支持する差渡し材とハンドルを分離した側面図
【図１１−３】縦杆の一部欠截の斜視図
【図１１−４】撹拌翼の折畳みを示した要部斜視図
【図１２−１】実験例（一例である）を示したものであって、処理前の原水を内タンクに収容した状態の俯瞰図
【図１２−２】図１２−１に示した状態の一部拡大の俯瞰図
【図１２−３】実験例を示したものであって、内タンクの原水に凝集剤を、添加し、その後、撹拌して、略２分経過後した状態を拡大し、その一部を示した俯瞰図
【図１２−４】図１２−３の後、略１分経過後した状態の俯瞰図
【図１２−５】図１２−４の後、撹拌を停止した状態を拡大し、その一部を示した俯瞰図
【図１２−６】図１２−５に示した状態の俯瞰図
【図１２−７】図１２−６の後、略３０秒経過した状態の俯瞰図
【図１２−８】図１２−７に示した状態の一部拡大の俯瞰図
【図１２−９】実験例を示したものであって、前記処理後に、撹拌翼部を差渡し材より取外し、内タンク内を確認した状態の俯瞰図
【図１２−１０】図１２−９の状態で、内タンクの底面にフロックが堆積した状態の俯瞰図
【図１２−１１】図１２−９の状態後において、蛇口（コック）を捻り、生活水（処理水）を、取出す（抜き出す）状態の俯瞰図
【図１２−１２】実験例における原水と生活水とを対比した模式図
【発明を実施するための形態】
【００２８】
以下、本発明の実施例を、好ましい、一実施例を示した図面を参照して説明する。その主体は、一基、又は複数基の蛇口１を備えた外タンクＡと、外タンクＡに内設した濾過タンクＢと、濾過タンクＢ内に内設した不透水素材でなる内タンクＣと、内タンクＣに設けた撹拌翼部Ｄと、撹拌翼部Ｄを回転するハンドルＥとで構成した簡易形濾過機である。
【００２９】
先ず、外タンクＡは、例えば、上下枠環２、３と、この上下枠環２、３（帯環に限定されず、例えば、角枠も可能）を支え、かつ柱となる数本の縦杆５と、この上下枠環２、３と、数本の縦杆５とでなる組立て式の枠体Ａ１と、この組立て式の枠体Ａ１の外側面に支持され、かつこの外側面を被嵌（囲繞）する袋で、例えば、不透水性の折畳み式の筒体６（袋体）とで構成される。そして、図１０−１〜図１０−３に示した如く、この上下枠環２、３は、少なくとも、二分割方式とし、螺子７、７（対の例では、一方の符号を示す）を利用して、折畳み、かつ重合せ可能とする。また、環状とした上下枠環２、３は、螺子７の緊締で、環状に固定（帯環と）する構造である。この縦杆５の上下端部には、差込み片５０（添設片も可能）をそれぞれ設ける。この差込み片５０を、それぞれ、帯環となった（組立てた環状の）上下枠環２、３の適所に、この差込み片５０を差込み（添設し）、この上下枠環２、３と、差込み片５０とを、複数の止め具８を利用して、固定することで、組立て式の枠体Ａ１を構成する（組立て式を考慮して、縦杆５を着脱式とする）。前述した如く、筒体６には、複数の蛇口１が設けられている。また、前記筒体６の下面には、脚１０（突起）が複数個設けられており、地面等に、この袋体６が直接接触しない構造とし、清潔感と安定性を確保する。
【００３０】
また、濾過タンクＢは、組立て式の枠体Ａの上枠環２に掛止めされ、支持され、かつ筒体６の内側に吊下げられる袋で、適宜の濾過密度を備えた交換できるフィルター、濾布等の折畳式の濾過筒体１１であって、前記筒体６より立上寸法を大きくする。また、この濾過筒体１１と、筒体６との間に、濾過水（生活水）を貯留する空間１２が形成される。この濾過筒体１１の掛止めは、クリップ、ひも等の止め具を使用することもあり得る。
【００３１】
内タンクＣは、上中下枠環１５〜１７と、この上中下枠環１５〜１７（帯環に限定されず、例えば、角枠も可能）を支え、かつ柱となる数本の縦杆１８と、この上中下枠環１５〜１７と、数本の縦杆１８とでなる組立て式の枠体Ｃ１と、この組立て式の枠体Ｃ１の外側面に支持され、かつ上中下枠環１５〜１７の内側に吊下げられる袋で、例えば、不透水性の折畳み式の筒体２０とで構成される。そして、図１１−１と、図１１−２（イ）、図１１−３に示した如く、この上中下枠環１５〜１７は、少なくとも、二分割方式とし、対の螺子２１を利用して、折畳み、かつ重合せ可能とする。また、環状とした上中下枠環１５〜１７は、螺子２１の緊締で、環状に固定（帯環と）する構造である。この縦杆１８（共通部品として、縦杆５もあり得る。以下同じ）の上下端部には、差込み片１８００（添設片も可能）をそれぞれ設ける。この差込み片１８００を、それぞれ、帯環となった（組立てた環状の）上下枠環１５、１７の適所に、この差込み片１８００を差込み（添設し）、この上下枠環１５、１７と、差込み片１８００とを、複数の止め具８を利用して、固定することで、組立て式の枠体Ｃ１を構成する（組立て式を考慮して、縦杆５を着脱式とする）。尚、中枠環１６は、縦杆１８に図示しない止め具、螺子等の着脱できる固定具で止める。前記筒体２０は、上枠環１５に係止し、かつ縦杆１８に添設する（支持もあり得る）構造とするとともに、切断、又は折曲げ（クリップ、テープ、止めバンド等による高さの調整）できる構造を利用することで、筒体２０に充填されている原水のオーバーフロー量を調整できるので、例えば、濾過タンクＢの効率化と、目詰まり回避、又は効率的な濾過、或いは必要量の確保等が図れる特徴がある。また、前記筒体２０（袋体）の下面には、図示しない脚（突起）が複数個設けられており、濾過タンクＢ等に、この筒体２０が直接接触しない構造とし、清潔感と安定性を確保する。そして、望ましくは、筒体２０と濾過タンクＢとの間には、原水が溜まる空間２２を形成する。尚、この組立て式の枠体Ｃは、筒体２０のカットと、折曲げ等により、その立上寸法（長さ）を、調整することを考慮すると、図示しないが、上下枠環１５、１７のみの例もあり得る。
【００３２】
前述した外タンクＡに対して、内タンクＣの立上寸法を、図１の如く、外タンクＡ＜内タンクＣとすることで、筒体２０の原水の量の確認と、濾過機の仕組みの理解と、後述する撹拌翼の操作等を容易に理解できること、等の利点がある。
【００３３】
次に撹拌翼部Ｄは、内タンクＣの上枠環１５に、取付け取外し自在に架承される差渡し材３０と、差渡し材３０の中心に回転自在に軸承（架承）し、かつ内タンクＣの底面上方に至るように垂下した撹拌棒３１と、この撹拌棒３１の下側３１ａに、対で設けた折畳み自在で、かつ傾斜角度が異なる（クロス形状の撹拌翼片）撹拌翼３２と、撹拌棒３１の上部に設け、かつ内タンクＣの上枠環１５の上方に設けるとともに、この内タンクＣの外周環近傍に設けたハンドルＥとで構成する。そして、図１１−２（ロ）に示す如く、この差渡し材３０の両端には、差込み片３０００をそれぞれ設け、この差込み片３０００を、上枠環１５に差込み支持し、止め具３３を利用して、この上枠環１５に固止する構造である（他の例も同じ）。また、図１１−４、５に示す如く、この撹拌棒３１の下側３１ａに、対で枢着した撹拌翼３２は、その各可動端３２００を、この撹拌棒３１に枢着した対の支持杆３２ａの各可動端３２００ａに移動可能に枢着する。そして、この実施例の如く、撹拌翼３２、及び支持杆３２ａを折畳み可能とするために、支持杆３２ａの可動端３２００ａは、この可動端３２００ａから中心に向って設けた長孔３２００ｂに挿設した蝶螺子３２ｂを介して、環半翼３２の可動端３２００と枢着する。これにより、撹拌翼３２を、撹拌棒３１との枢支部３２ｃを支点として、時計方向に回転することで、蝶螺子３２ｂが、長孔３２００ｂを移行するとともに、支持杆３２ｂが、撹拌棒３１の枢支部３２ｄを支点として、時計方向に回転する。その可動最終状態が、この図１１−４となる。尚、反対側の撹拌翼３２と支持杆３２ａの動きは、対称関係となる。この作業で、対の撹拌翼３２は、撹拌棒３１を中心として、例えば、重なるように、折畳まれる構造である。また、撹拌棒３１の上端には、ハンドルＥが取付け、取外し自在に設けられる。従って、撹拌翼３２の折畳み時には、このハンドルＥを取外す構造である。また、ハンドルＥと撹拌棒３１は、複数の止め具３６を利用して固定する。各撹拌翼３２の各自由端３２０１は、連結杆３７を介して連結し、この自由端３２０１を補強しつつ、撹拌効果を達成する。前記蝶螺子３２ｂの緊締で、撹拌翼３２と支持杆３２ａとの間の各状態の固定を確保し、又は、緊締解除を利用して、撹拌翼３２と支持杆３２ａの折畳みと移行とを図る。尚、図示しないが、縦杆５、１８は、入れ子式、連結式、又は蛇腹式等の手段で、伸縮可能とすることもできる。そして、この撹拌翼部Ｄを、内タンクＣに、取付け取外し自在に架承する構造であることから、この内タンクＣに滞留するフロック（ＳＳ）とか、混入異物等の異物の排除と、この内タンクＣの内外清掃に有益である。また、人手による作業とか、動き、原水の状態、その他の作業の確認等にも有益である。
【００３４】
以上の如く、組立て式の枠体Ａ１、Ｃ１を前述の構造とし、かつこの組立て式の枠体Ａ１、Ｃ１に、濾過筒体１１、並びに筒体６、２０を被嵌式とすること、及び筒体６と、濾過筒体１１、並びに筒体２０を、折畳み可能とすることで、コンパクトな収容と、運搬（車輌、航空機等の移動手段への持込み）に便利である。
【００３５】
以下、その使用状態を説明すると、組立て式の枠体Ａ１に筒体６を被嵌し、かつ止め具（図示せず）で、この筒体６を支持することで、外タンクＡが構成される。一方、撹拌翼３２を備えた組立て式の枠体Ｃ１に筒体２０を被嵌し、かつ止め具（図示せず）で、この筒体２０を支持することで、内タンクＣが構成される。そこで、先ず、この外タンクＡに空間１２を構成するようにして、濾過タンクＢ（可撓性の濾過袋）を収容する。この濾過タンクＢに空間２２を構成するようにして、内タンクＣを収容する。これによって、図１と、図３に示した濾過機としての使用状態が確保される。
【００３６】
そこで、内タンクＣに原水を充填した後に、凝縮剤を添加し、フロックの生成と凝縮を図り、沈降分離を促進する。この際に撹拌翼３２を、ハンドルＥによる手動回転して、前記沈降分離を、さらに促進する。そして、必要とする生活水の量を考慮して、筒体２０をカットするか、又は折畳んで下げる等して、原水をオーバーフローさせると、この原水は、空間２２に充填された後に、濾過タンクＢで濾過される。この濾過水は、空間１２に到ることで、生活水として利用される。この外タンクＡに設けた蛇口１より取出される。この濾過水が無くなった段階、又は必要時に、筒体２０のカット、又は下げることにより、原水を、所定量、オーバーフローさせる。このオーバーフローした原水の処理作業は、前述の例に準ずる。以上の作業の繰返しで、生活水を確保することが、本発明の目的である。また、図示しないが、撹拌翼３２の自動駆動も、必要により、行われる。
【００３７】
［実験例（一例である）を説明する］
平成２４年１月に、三重県の某所において、実施した結果を説明する。
図１２−１において、内タンクＣに、濁度１、０００ｐｐｍの原水を収容した処理前の状態であり、その濁りの状況が確認できる。そして、図１２−２は、この図１２−１に示した状態を一部拡大したものであり、原水の濁りが確認できる（図１２−１２参照）。次に、図１２−３は、内タンクＣの原水に凝集剤（例えば、本出願人が取得した、特許第            号の凝集剤Ｆを、２００ｐｐｍ）を、添加し、その後、撹拌翼３２を撹拌して、略２分経過後した状態を示しており、既にフロックＧが形成（生成）されている状況が確認できる。そして、フロックＧが成長している状況が、図１２−４において理解できる（視認できる）。
【００３８】
以上のようにして、フロックＧが形成された後において、図１２−５と図１２−６は、撹拌を停止した状態を示しており、生活水に略相当する、上澄み水が形成されている。その後、図１２−７の如く、略３０秒経過した状態においては、生活水が形成されたことが、確認できる。殊に、図１２−８に示した、一部拡大した俯瞰図では、この図１２−７の状況が、明確に判断できる。
【００３９】
続いて、図１２−９において、前記図１２−１〜図１２−８の各処理後に、撹拌翼部Ｄを差渡し材３０より取外し、内タンＣ内を確認した状態では、前記上澄み水が、形成されていることが、確認できる。また、同時に、図１２−１０では、内タンクＣの底面にフロックＧが堆積した状態が視認できる。そして、図示しないが、内タンクＣより上澄み水が、オーバーフローし、空間２２に到った後、この上済み水は、濾過タンクＢにより濾過され、空間１２に到り、かつ外タンクＡ内に溜められる。この溜められた水は、生活水で、使用可能となり、もって、本願発明の目的を達成できる。
【００４０】
この生活水は、図１２−１１の如く、外タンクＡの蛇口１を捻ることで、取出される（抜き出される）。この取出された水は、生活水であり、各種の緊急時、その他の非常時等の際に、利用できるので有益であり、例えば、汚泥処理水、生活用品の洗浄水等の生活水として有効であり（一部では、飲料水としての利用も可能と考えられる）、かつ人々に安心と、安堵感、並びに明日への希望と、活力を与え得る実益がある。尚、図１２−１２において、実験例における原水と、生成された生活水とを対比したが、その差（濾過程度：透明度の差）が歴然としている。
【００４１】
この実験例を示した、［図１２−１］〜［図１２−１２］に関しては、鮮明でないことから、後日、物件提出書を利用して、カラーの［図１２−１］〜［図１２−１２］を提出いたしますので、審査の際に、ご参照くださいますように、お願い申し上げます。
【００４２】
以上の説明と図面等は、本発明の好ましい実施例を説明したものであり、同様な効果と特徴を有する他の構造、手段は、本発明の範疇である。
【符号の説明】
【００４３】
１          蛇口
２          上枠環
３          下枠環
５          縦杆
５０        差込み片
６          筒体
７          螺子
８          止め具
１０        脚
１１        濾過筒体
１２        空間
１５        上枠環
１６        中枠環
１７        下枠環
１８        縦杆
１８００    差込み片
２０        筒体
２１        螺子
２２        空間
３０        差渡し材
３０００    差込み片
３１        撹拌棒
３１ａ      下側
３２        撹拌翼
３２００    可動端
３２０１    自由端
３２ａ      支持杆
３２００ａ  可動端
３２００ｂ  長孔
３２ｂ      蝶螺子
３２ｃ      枢支部
３２ｄ      枢支部
３３        止め具
３６        止め具
３７        連結杆
Ａ          外タンク
Ａ１        枠体
Ｂ          濾過タンク
Ｃ          内タンク
Ｃ１        枠体
Ｄ          撹拌翼部
Ｅ          ハンドル
Ｆ          凝集剤
Ｇ          フロック
【図１】
0005481500.tif 000002
【図２】
0005481500.tif 000003
【図３】
0005481500.tif 000004
【図４】
0005481500.tif 000005
【図５】
0005481500.tif 000006
【図６】
0005481500.tif 000007
【図７】
0005481500.tif 000008
【図８】
0005481500.tif 000009
【図９】
0005481500.tif 000010
【図１０−１】
0005481500.tif 000011
【図１０−２】
0005481500.tif 000012
【図１０−３】
0005481500.tif 000013
【図１１−１】
0005481500.tif 000014
【図１１−２】
0005481500.tif 000015
【図１１−３】
0005481500.tif 000016
【図１１−４】
0005481500.tif 000017
【図１２−１】
0005481500.tif 000018
【図１２−２】
0005481500.tif 000019
【図１２−３】
0005481500.tif 000020
【図１２−４】
0005481500.tif 000021
【図１２−５】
0005481500.tif 000022
【図１２−６】
0005481500.tif 000023
【図１２−７】
0005481500.tif 000024
【図１２−８】
0005481500.tif 000025
【図１２−９】
0005481500.tif 000026
【図１２−１０】
0005481500.tif 000027
【図１２−１１】
0005481500.tif 000028
【図１２−１２】
0005481500.tif 000029